【事件の表示】
　特許第３３３３６５１号「光走査装置」の請求項１ないし９に係る特許に対する特許異議の申立てについて、次のとおり決定する。
【結　論】
　訂正を認める。
　特許第３３３３６５１号の請求項１ないし７に係る特許を維持する。
【理　由】
１．訂正の適否についての判断
（１）平成１５年１２月２２日付訂正の内容
　特許権者が求めている訂正の内容は、以下のとおりである。
　ａ．特許請求の範囲の記載
「【特許請求の範囲】
【請求項１】
　光源装置からのレーザー光束を結像素子により主走査対応方向に長い線像に結像させ、上記線像の近傍に偏向反射面を有する光偏向器により等角速度的に偏向させ、偏向光束を等速走査用の結像光学系により被走査面上に光スポットとして集光させて等速的な光走査を行う光走査装置において、
　上記等速走査用の結像光学系は、主走査対応方向にｆθ機能を持ち、偏向光束を主走査対応方向において被走査面上に集光させるためのレンズ系と、
　副走査対応方向にのみ正のパワーを持ち、上記レンズ系と共働して偏向光束を副走査対応方向において被走査面上に集光せしめる円筒面反射鏡と、
　上記レンズ系から被走査面に到る光路上に配備され光路を副走査対応方向において屈曲させる平面鏡とを有し、
　上記レンズ系から被走査面に到る光路長を微調整するために、上記円筒面反射鏡を所定の方向に移動調整する円筒面反射鏡調整手段とを有し、
　上記円筒反射鏡の移動に伴う偏向光束のビームウエストの変位により、上記ビームウエスト位置と上記被走査面との位置を調整可能としたことを特徴とする光走査装置。
【請求項２】
　請求項１記載の光走査装置において、
　円筒面反射鏡の移動調整の方向が、反射面の光軸面方向であることを特徴とする光走査装置。
【請求項３】
　請求項１記載の光走査装置において、
　円筒面反射鏡の移動調整の方向が、レンズ系の光軸を通り円筒面反射鏡に入射する光線の入射方向であることを特徴とする光走査装置。
【請求項４】
　請求項１記載の光走査装置において、
　円筒面反射鏡の移動調整の方向が、レンズ系の光軸を通り円筒面反射鏡に入射し反射される光線の反射方向であることを特徴とする光走査装置。
【請求項５】
　請求項１または２または３または４記載の光走査装置において、
　円筒面反射鏡は、移動調整のための移動方向に平行な面を有し、この面を基準面に対して摺動させることにより移動させるように円筒面反射鏡調整手段が構成されていることを特徴とする光走査装置。
【請求項６】
　請求項１または２または３または４または５記載の光走査装置において、
　平面鏡が、レンズ系と円筒面反射鏡との間に配備されることを特徴とする光走査装置。
【請求項７】
　請求項１〜６の任意の１に記載の光走査装置において、
　上記平面鏡を主走査対応方向に平行な軸の周りに揺動調整する平面鏡調整手段を有し、
　上記平面鏡の微小な回転に伴う、偏向光束の副走査方向のビームウエスト位置の変位を、円筒面反射鏡の位置調整に伴うビームウエストの変位と組み合わせて、被走査面に対する偏向光束の主走査方向および副走査方向のビームウエスト位置を調整可能としたことを特徴とする光走査装置。
【請求項８】
　請求項１〜７の任意の１に記載の光走査装置において、
　円筒面反射鏡は、その長手方向の両端部が独立して移動調整可能であることを特徴とする光走査装置。
【請求項９】
　光源装置からのレーザー光束を結像素子により主走査対応方向に長い線像に結像させ、上記線像の近傍に偏向反射面を有する光偏向器により等角速度的に偏向させ、偏向光束を等速走査用の結像光学系により被走査面上に光スポットとして集光させて等速的な光走査を行う光走査装置において、偏向光束のビームウエスト位置を上記被走査面に対して調整する方法であって、
　請求項１〜８の任意の１に記載の光走査装置を用いて行うことを特徴とする光走査装置におけるビームウエスト位置調整方法。」
を、
「【特許請求の範囲】
【請求項１】
　光源装置からのレーザー光束を結像素子により主走査対応方向に長い線像に結像させ、上記線像の近傍に偏向反射面を有する光偏向器により等角速度的に偏向させ、偏向光束を等速走査用の結像光学系により被走査面上に光スポットとして集光させて等速的な光走査を行う光走査装置において、
　上記等速走査用の結像光学系は、主走査対応方向にｆθ機能を持ち、偏向光束を主走査対応方向において被走査面上に集光させるためのレンズ系と、
　副走査対応方向にのみ正のパワーを持ち、上記レンズ系と共働して偏向光束を副走査対応方向において被走査面上に集光せしめる円筒面反射鏡と、
　上記レンズ系から被走査面に到る光路上に配備され光路を副走査対応方向において屈曲させる平面鏡と、
　上記レンズ系から被走査面に到る光路長を微調整するために、上記円筒面反射鏡を所定の方向に移動調整する円筒面反射鏡調整手段と、
　上記平面鏡を主走査対応方向に平行な軸の周りに揺動調整する平面鏡調整手段を有し、
　上記平面鏡が、上記レンズ系と上記円筒面反射鏡との間に配備され、
　上記円筒反射鏡の移動に伴う偏向光束のビームウエストの変位により、上記ビームウエスト位置と上記被走査面との位置を調整可能とし、
　上記平面鏡の微小な回転に伴う、偏向光束の副走査方向のビームウエスト位置の変位を、円筒面反射鏡の位置調整に伴うビームウエストの変位と組み合わせて、被走査面に対する偏向光束の主走査方向および副走査方向のビームウエスト位置を調整可能としたことを特徴とする光走査装置。
【請求項２】
　請求項１記載の光走査装置において、
　円筒面反射鏡の移動調整の方向が、反射面の光軸面方向であることを特徴とする光走査装置。
【請求項３】
　請求項１記載の光走査装置において、
　円筒面反射鏡の移動調整の方向が、レンズ系の光軸を通り円筒面反射鏡に入射する光線の入射方向であることを特徴とする光走査装置。
【請求項４】
　請求項１記載の光走査装置において、
　円筒面反射鏡の移動調整の方向が、レンズ系の光軸を通り円筒面反射鏡に入射し反射される光線の反射方向であることを特徴とする光走査装置。
【請求項５】
　請求項１または２または３または４記載の光走査装置において、
　円筒面反射鏡は、移動調整のための移動方向に平行な面を有し、この面を基準面に対して摺動させることにより移動させるように円筒面反射鏡調整手段が構成されていることを特徴とする光走査装置。
【請求項６】
　請求項１〜５の任意の１に記載の光走査装置において、
　円筒面反射鏡は、その長手方向の両端部が独立して移動調整可能であることを特徴とする光走査装置。
【請求項７】
　光源装置からのレーザー光束を結像素子により主走査対応方向に長い線像に結像させ、上記線像の近傍に偏向反射面を有する光偏向器により等角速度的に偏向させ、偏向光束を等速走査用の結像光学系により被走査面上に光スポットとして集光させて等速的な光走査を行う光走査装置において、偏向光束のビームウエスト位置を上記被走査面に対して調整する方法であって、
　請求項１〜６の任意の１に記載の光走査装置を用いて行うことを特徴とする光走査装置におけるビームウエスト位置調整方法。」
と訂正する。
　ｂ．明細書の発明の詳細な説明における段落【００１８】の記載
「また、平面鏡の配設位置は上述のように、レンズ系と被走査面の間に適宜に設定できるが、「レンズ系と円筒面反射鏡との間」は平面鏡の配設位置として好適である（請求項６）。」
を、
　「平面鏡の配設位置は「レンズ系と円筒面反射鏡との間」に設定される（請求項１）。」
と訂正する。
　ｃ．明細書の発明の詳細な説明における段落【００１９】の記載
「さらに「平面鏡を、主走査対応方向に平行な軸の周りに揺動調整する平面鏡調整手段」を有することができ（請求項７）、円筒面反射鏡は、「その長手方向の両端部が独立して移動調整可能」であるようにすることができる（請求項８）。
　上記平面鏡調整手段は、平面鏡を上記軸の回りに所望の方向へ微小角回転させて調整する。この調整は「微小角回転に伴う、偏向光束の偏向光束のビームウエスト位置の変位を、円筒面反射鏡の位置調整に伴うビームウエストの変位と組み合わせて、被走査面に対する偏向光束の主走査方向および副走査方向のビームウエスト位置を調整する」ために行われる。
　この発明のビームウエスト位置調整方法は、光源装置からのレーザー光束を結像素子により主走査対応方向に長い線像に結像させ、上記線像の近傍に偏向反射面を有する光偏向器により等角速度的に偏向させ、偏向光束を等速走査用の結像光学系により被走査面上に光スポットとして集光させて等速的な光走査を行う光走査装置において、偏向光束のビームウエスト位置を上記被走査面に対して調整する方法であって、上記請求項１〜８の任意の１に記載の光走査装置を用いて行うことを特徴とする（請求項９）。」
を、
「さらに「平面鏡を、主走査対応方向に平行な軸の周りに揺動調整する平面鏡調整手段」を有する（請求項１）。円筒面反射鏡は、「その長手方向の両端部が独立して移動調整可能」であるようにすることができる（請求項６）。
　上記平面鏡調整手段は、平面鏡を上記軸の回りに所望の方向へ微小角回転させて調整する。この調整は「微小角回転に伴う、偏向光束の偏向光束のビームウエスト位置の変位を、円筒面反射鏡の位置調整に伴うビームウエストの変位と組み合わせて、被走査面に対する偏向光束の主走査方向および副走査方向のビームウエスト位置を調整する」ために行われる（請求項１）。
　この発明のビームウエスト位置調整方法は、光源装置からのレーザー光束を結像素子により主走査対応方向に長い線像に結像させ、上記線像の近傍に偏向反射面を有する光偏向器により等角速度的に偏向させ、偏向光束を等速走査用の結像光学系により被走査面上に光スポットとして集光させて等速的な光走査を行う光走査装置において、偏向光束のビームウエスト位置を上記被走査面に対して調整する方法であって、上記請求項１〜６の任意の１に記載の光走査装置を用いて行うことを特徴とする（請求項７）。」
と訂正する。
　ｄ．明細書の発明の詳細な説明における段落【００２９】の記載
「一方、平面鏡８は、この実施例において「レンズ系と円筒面反射鏡９との間」の光路上に配備され（請求項６）、「平面鏡調整手段」である調整機構１２により、主走査対応方向に平行な軸１（平面鏡８の鏡面を通る）の周りに揺動調整することができるようになっている（請求項７）。」
を、
「一方、平面鏡８は、この実施例において「レンズ系と円筒面反射鏡９との間」の光路上に配備され、「平面鏡調整手段」である調整機構１２により、主走査対応方向に平行な軸１（平面鏡８の鏡面を通る）の周りに揺動調整することができるようになっている（請求項１）。」
と訂正する。
　ｅ．明細書の発明の詳細な説明における段落【００３９】の記載
「従って、例えば、偏向光束のビームウエスト位置が、主・副走査対応方向とも０．１ｍｍずつ被走査面からずれている場合、円筒面反射鏡９の移動調整量：ｄを０．０７ｍｍにすれば、被走査面は、主走査対応方向のビームウエスト位置と副走査対応方向のビームウエスト位置のちょうど中間に位置するので、被走査面上における光スポット径は、設計通りのものにはならないが、移動調整量を上記ｄの近傍でさらに調整することにより、所望の形状の光スポットを、設計上の光スポット径に近い大きさで実現できる。即ち、円筒面反射鏡の移動調整のみでもビームウエスト位置の設計値からのずれを有効に軽減させることができる（請求項１〜４）。」
を、
「従って、例えば、偏向光束のビームウエスト位置が、主・副走査対応方向とも０．１ｍｍずつ被走査面からずれている場合、円筒面反射鏡９の移動調整量：ｄを０．０ ７ｍｍにすれば、被走査面は、主走査対応方向のビームウエスト位置と副走査対応方向のビームウエスト位置のちょうど中間に位置するので、被走査面上における光スポット径は、設計通りのものにはならないが、移動調整量を上記ｄの近傍でさらに調整することにより、所望の形状の光スポットを、設計上の光スポット径に近い大きさで実現できる。即ち、円筒面反射鏡の移動調整のみでもビームウエスト位置の設計値からのずれを有効に軽減させることができる。」
と訂正する。
　ｆ．明細書の発明の詳細な説明における段落【００４２】の記載
「従って、前述の例のように、偏向光束のビームウエスト位置が、主・副走査対応方向とも０．１ｍｍずつ被走査面からずれている場合、円筒面反射鏡９を０．５１ｍｍ変位させ（これにより主・副走査対応方向のビームウエスト位置がそれぞれ、略０．１ｍｍ、略０．０４６ｍｍ変位する）、平面鏡８を０．０２度回転させる（これにより副走査対応方向のビームウエスト位置のみが、略０．０５２８ｍｍ変化する）ことにより、偏向光束のビームウエスト位置を、主・副走査対応方向とも、実質的に被走査面上に合致させることができる（請求項７）。」
を、
「従って、前述の例のように、偏向光束のビームウエスト位置が、主．副走査対応方向とも０．１ｍｍずつ被走査面からずれている場合、円筒面反射鏡９を０．５１ｍｍ変位させ（これにより主・副走査対応方向のビームウエスト位置がそれぞれ、略０．１ｍｍ、略０．０４６ｍｍ変位する）、平面鏡８を０．０２度回転させる（これにより副走査対応方向のビームウエスト位置のみが、略０．０５２８ｍｍ変化する）ことにより、偏向光束のビームウエスト位置を、主・副走査対応方向とも、実質的に被走査面上に合致させることができる（請求項１）。」
と訂正する。
　ｇ．明細書の発明の詳細な説明における段落【００５２】の記載
「図４の状態は円筒面反射鏡９Ａの長手方向の一端部の様子であり、長手方向の他端部にも、同様の調整機構が設けられており、円筒面反射鏡９Ａの移動調整を長手方向の両端部で、それぞれ独立して行うことができるようになっている（請求項８）。」
を、
「図４の状態は円筒面反射鏡９Ａの長手方向の一端部の様子であり、長手方向の他端部にも、同様の調整機構が設けられており、円筒面反射鏡９Ａの移動調整を長手方向の両端部で、それぞれ独立して行うことができるようになっている（請求項６）。」
と訂正する。　　
　　
（２）訂正の目的の適否、新規事項の有無及び拡張・変更の存否
　訂正事項ａにおいて、「上記平面鏡を主走査対応方向に平行な軸の周りに揺動調整する平面鏡調整手段を有し、上記平面鏡が、上記レンズ系と上記円筒面反射鏡との間に配備され、上記円筒反射鏡の移動に伴う偏向光束のビームウエストの変位により、上記ビームウエスト位置と上記被走査面との位置を調整可能とし、上記平面鏡の微小な回転に伴う、偏向光束の副走査方向のビームウエスト位置の変位を、円筒面反射鏡の位置調整に伴うビームウエストの変位と組み合わせて、被走査面に対する偏向光束の主走査方向および副走査方回のビームウエスト位置を調整可能としたこと」とする訂正は、訂正前請求項１の内容を同請求項６，７の内容により限定して新たな請求項１にするものであるから、特許請求の範囲の減縮を目的とするものである。また訂正事項ａにおいて、訂正前請求項２〜５，８，９を新たな請求項１に従属せしめて新たな請求項２〜７とする訂正は、新たな請求項１とする訂正が、上記のように特許請求の範囲の減縮を目的とするものであるから、これと同様に、特許請求の範囲の減縮を目的とするものである。
　また、訂正事項ｂ〜ｇについては、訂正事項ａの訂正に伴い訂正された請求項１〜７と明細書の発明の詳細な説明の記載との整合をとるために必要となった訂正であって、明りょうでない記載の釈明を目的としたものである。
　さらに、これらの訂正は実質上特許請求の範囲を拡張し、又は変更するものでもない。
　　
（３）むすび
　以上のとおりであるから、上記訂正は、特許法第１２０条の４第２項及び第３項で規定する訂正について、平成６年法律第１１６号附則第６条第１項において、なお従前の例によるとされる改正前の特許法第１２６条第１項ただし書き及び同第２項の規定に適合するので、当該訂正を認める。
　　　
２．特許異議の申立てについての判断
（１）本件発明
　上記１．で訂正を認めたことにより、本件の請求項１〜７に係る発明(以下、「本件発明１〜７」という。)は、全文訂正明細書の特許請求の範囲の請求項１〜７に記載されたとおりの次のものである。
　　　　
「【請求項１】
　光源装置からのレーザー光束を結像素子により主走査対応方向に長い線像に結像させ、上記線像の近傍に偏向反射面を有する光偏向器により等角速度的に偏向させ、偏向光束を等速走査用の結像光学系により被走査面上に光スポットとして集光させて等速的な光走査を行う光走査装置において、
　上記等速走査用の結像光学系は、主走査対応方向にｆθ機能を持ち、偏向光束を主走査対応方向において被走査面上に集光させるためのレンズ系と、
　副走査対応方向にのみ正のパワーを持ち、上記レンズ系と共働して偏向光束を副走査対応方向において被走査面上に集光せしめる円筒面反射鏡と、
　上記レンズ系から被走査面に到る光路上に配備され光路を副走査対応方向において屈曲させる平面鏡と、
　上記レンズ系から被走査面に到る光路長を微調整するために、上記円筒面反射鏡を所定の方向に移動調整する円筒面反射鏡調整手段と、
　上記平面鏡を主走査対応方向に平行な軸の周りに揺動調整する平面鏡調整手段を有し、
　上記平面鏡が、上記レンズ系と上記円筒面反射鏡との間に配備され、
　上記円筒反射鏡の移動に伴う偏向光束のビームウエストの変位により、上記ビームウエスト位置と上記被走査面との位置を調整可能とし、
　上記平面鏡の微小な回転に伴う、偏向光束の副走査方向のビームウエスト位置の変位を、円筒面反射鏡の位置調整に伴うビームウエストの変位と組み合わせて、被走査面に対する偏向光束の主走査方向および副走査方向のビームウエスト位置を調整可能としたことを特徴とする光走査装置。
【請求項２】
　請求項１記載の光走査装置において、
　円筒面反射鏡の移動調整の方向が、反射面の光軸面方向であることを特徴とする光走査装置。
【請求項３】
　請求項１記載の光走査装置において、
　円筒面反射鏡の移動調整の方向が、レンズ系の光軸を通り円筒面反射鏡に入射する光線の入射方向であることを特徴とする光走査装置。
【請求項４】
　請求項１記載の光走査装置において、
　円筒面反射鏡の移動調整の方向が、レンズ系の光軸を通り円筒面反射鏡に入射し反射される光線の反射方向であることを特徴とする光走査装置。
【請求項５】
　請求項１または２または３または４記載の光走査装置において、
　円筒面反射鏡は、移動調整のための移動方向に平行な面を有し、この面を基準面に対して摺動させることにより移動させるように円筒面反射鏡調整手段が構成されていることを特徴とする光走査装置。
【請求項６】
　請求項１〜５の任意の１に記載の光走査装置において、
　円筒面反射鏡は、その長手方向の両端部が独立して移動調整可能であることを特徴とする光走査装置。
【請求項７】
　光源装置からのレーザー光束を結像素子により主走査対応方向に長い線像に結像させ、上記線像の近傍に偏向反射面を有する光偏向器により等角速度的に偏向させ、偏向光束を等速走査用の結像光学系により被走査面上に光スポットとして集光させて等速的な光走査を行う光走査装置において、偏向光束のビームウエスト位置を上記被走査面に対して調整する方法であって、
　請求項１〜６の任意の１に記載の光走査装置を用いて行うことを特徴とする光走査装置におけるビームウエスト位置調整方法。」
　　　
（２）取消理由通知で引用された刊行物に記載された発明
　刊行物１：特開平６−１３０２６３号公報　　 
　刊行物２：特開平６−１６７６６３号公報　　 
　上記刊行物１には、その段落【０００３】〜【００１１】、【００２１】、【００２２】、【００３３】、【００５９】、【００６４】及び【図６】、【図８】に、
「光源装置からのレーザー光束を結像素子により結像させ、上記結像の近傍に偏向反射面を有する光偏向器により等角速度的に偏向させ、偏向光束を等速走査用の結像光学系により被走査面上に光スポットとして集光させて等速的な光走査を行う光走査装置において、上記等速走査用の結像光学系は、主走査対応方向にｆθ機能を持ち、偏向光束を主走査対応方向において被走査面上に集光させるためのレンズ系と、副走査対応方向にのみ正のパワーを持ち、上記レンズ系と共働して偏向光束を副走査対応方向において被走査面上に集光せしめる円筒面反射鏡と、上記レンズ系から被走査面に到る光路上に配備され光路を副走査対応方向において屈曲させる平面鏡とを有し、上記レンズ系から被走査面に到る光路長を微調整するために、上記円筒面反射鏡を所定の方向に移動調整する円筒面反射鏡調整手段とを有し、上記円筒反射鏡の移動に伴う偏向光束のビームウエストの変位により、上記ビームウエスト位置と上記被走査面との位置を調整可能としたことを特徴とする光走査装置。」、
「円筒面反射鏡の移動調整の方向が、レンズ系の光軸を通り円筒面反射鏡に入射する光線の入射方向である。」、
「円筒面反射鏡は、移動調整のための移動方向に平行な面を有し、この面を基準面に対して摺動させることにより移動させるように円筒面反射鏡調整手段が構成されている。」、
旨が記載されている。
　また、上記刊行物２には、その段落【０００２】〜【０００５】、【００２１】、【００２３】、【００２４】及び【図１】、【図７】〜【図１０】に、
「光源装置からのレーザー光束を結像素子により主走査対応方向に長い線像に結像させ、上記線像の近傍に偏向反射面を有する光偏向器により等角速度的に偏向させ、偏向光束を等速走査用の結像光学系により被走査面上に光スポットとして集光させて等速的な光走査を行う光走査装置において、上記等速走査用の結像光学系は、主走査対応方向にｆθ機能を持ち、偏向光束を主走査対応方向において被走査面上に集光させるためのレンズ系と、副走査対応方向にのみ正のパワーを持ち、上記レンズ系と共働して偏向光束を副走査対応方向において被走査面上に集光せしめる円筒面反射鏡と、上記レンズ系から被走査面に到る光路上に配備され光路を副走査対応方向において屈曲させる平面鏡と、上記レンズ系から被走査面に到る光路長を微調整するために、上記円筒面反射鏡を所定の方向に移動調整する円筒面反射鏡調整手段と、を有する光走査装置。」及び
「平面鏡が、レンズ系と円筒面反射鏡との間に配備される。」、
 旨が記載されている。
　　
（３）特許法第２９条第２項についての対比・判断
　上記刊行物１，２にはいずれも、本件発明１の「平面鏡を主走査対応方向に平行な軸の周りに揺動調整する平面鏡調整手段を有し、上記平面鏡の微小な回転に伴う、偏向光束の副走査方向のビームウエスト位置の変位を、円筒面反射鏡の位置調整に伴うビームウエストの変位と組み合わせて、被走査面に対する偏向光束の主走査方向および副走査方向のビームウエスト位置を調整可能としたこと」なる事項が記載されていない。
　すなわち、
　上記刊行物１には、その段落【００２２】に、本件発明１の「平面鏡」に相当する「立ち下げミラー３８」について、
「さらに、長尺の板状ミラーである立ち下げミラー３８は、図９に示されるように、両端部に配置されるホルダ２２０に反射面を載置した状態で、裏面側より付勢バネ２２２によって押圧されることにより保持される。
　ここで、立ち下げミラー３８はコストダウン等のために比較的薄いミラーが使用されており、強く押圧、特に支えのない状態で面方向に強く押圧したり、上下方向等に押圧するとミラーが湾曲してしまい、光ビーム光路が狂って高画質画像の記録を行うことができなくなってしまう。」なる事項が記載されており、
　かかる記載事項から、刊行物１に記載された「立ち下げミラー３８」は変形しやすく、変形すると光ビームの光路が狂ってしまい、その結果、高画質画像の記録を行うことができなくなってしまう、ことが理解できるとしても、本件発明１の如く「平面鏡を主走査対応方向に平行な軸の周りに揺動調整する平面鏡調整手段を有し」、これを調整することによって、「上記平面鏡の微小な回転に伴う、偏向光束の副走査方向のビームウエスト位置の変位を、円筒面反射鏡の位置調整に伴うビームウエストの変位と組み合わせて、被走査面に対する偏向光束の主走査方向および副走査方向のビームウエスト位置を調整可能とした」との事項が導出容易であるとはいえない。
　また、本件発明２〜７は、いずれも本件発明1を引用し、さらに限定を付した発明であるから、本件発明１と同様に上記事項が、上記刊行物１，２に記載のものにより充足し得ないことは明らかである。
　したがって、本件発明１〜７は、刊行物１及び２に記載された発明に基づいて当業者が容易に発明することができたものとはいえないから、特許法第２９条第２項の規定に違反して特許を受けたものとはいえない。
　　
（４）特許法第３６条第５項及び第６項についての判断
　上記１．で訂正が認められたことにより、本件発明１〜７は、「平面鏡を主走査対応方向に平行な軸の周りに揺動調整する平面鏡調整手段を有し、上記平面鏡が、上記レンズ系と上記円筒面反射鏡との間に配備され」との事項を具備することとなった。
　その結果、本件発明１〜７は、本件発明１に記載された「平面鏡の微小な回転に伴う、偏向光束の副走査方向のビームウエスト位置の変位を、円筒面反射鏡の位置調整に伴うビームウエストの変位と組み合わせて、被走査面に対する偏向光束の主走査方向および副走査方向のビームウエスト位置を調整可能」とするについて、必要十分な構成を具備するものといえるから、取消理由で通知した記載事項の矛盾点・不整合は解消された。
　したがって、本件発明１〜７は、特許法３６条第５項及び第６項に規定する要件を満足するものである。
　　
　また、その他の異議申立理由及び証拠は、本件特許の請求項１〜７に係る発明を取り消すべき理由として採用することができない。
　　
３．むすび
　以上のとおりであるから、特許異議申立ての理由及び証拠によっては、本件請求項１〜７に係る特許を取り消すことはできない。
　よって、結論のとおり決定する。
【異議決定日】
平成１６年４月２６日（２００４．４．２６）
【訂正の要旨】
審決（決定）の【理由】欄参照。
（５４）【発明の名称】
光走査装置
（５７）【特許請求の範囲】
　【請求項１】
　光源装置からのレーザー光束を結像素子により主走査対応方向に長い線像に結像させ、上記線像の近傍に偏向反射面を有する光偏向器により等角速度的に偏向させ、偏向光束を等速走査用の結像光学系により被走査面上に光スポットとして集光させて等速的な光走査を行う光走査装置において、
　上記等速走査用の結像光学系は、主走査対応方向にｆθ機能を持ち、偏向光束を主走査対応方向において被走査面上に集光させるためのレンズ系と、
　副走査対応方向にのみ正のパワーを持ち、上記レンズ系と共働して偏向光束を副走査対応方向において被走査面上に集光せしめる円筒面反射鏡と、
　上記レンズ系から被走査面に到る光路上に配備され光路を副走査対応方向において屈曲させる平面鏡
と、
　上記レンズ系から被走査面に到る光路長を微調整するために、上記円筒面反射鏡を所定の方向に移動調整する円筒面反射鏡調整手段
と、
　
上記平面鏡を主走査対応方向に平行な軸の周りに揺動調整する平面鏡調整手段
　
上記平面鏡が、上記レンズ系と上記円筒面反射鏡との間に配備され、
　
上記円筒反射鏡の移動に伴う偏向光束のビームウエストの変位により、上記ビームウエスト位置と上記被走査面との位置を調整可能とし、
　上記平面鏡の微小な回転に伴う、偏向光束の副走査方向のビームウエスト位置の変位を、円筒面反射鏡の位置調整に伴うビームウエストの変位と組み合わせて、被走査面に対する偏向光束の主走査方向および副走査方向のビームウエスト位置を調整可能としたこと
　【請求項２】
　請求項１記載の光走査装置において、
　円筒面反射鏡の移動調整の方向が、反射面の光軸面方向であることを特徴とする光走査装置。
　【請求項３】
　請求項１記載の光走査装置において、
　円筒面反射鏡の移動調整の方向が、レンズ系の光軸を通り円筒面反射鏡に入射する光線の入射方向であることを特徴とする光走査装置。
　【請求項４】
　請求項１記載の光走査装置において、
　円筒面反射鏡の移動調整の方向が、レンズ系の光軸を通り円筒面反射鏡に入射し反射される光線の反射方向であることを特徴とする光走査装置。
　【請求項５】
　請求項１または２または３または４記載の光走査装置において、
　円筒面反射鏡は、移動調整のための移動方向に平行な面を有し、この面を基準面に対して摺動させることにより移動させるように円筒面反射鏡調整手段が構成されていることを特徴とする光走査装置。
　【請求項６】
　
請求項１〜５の任意の１に記載
　円筒面反射鏡は、その長手方向の両端部が独立して移動調整可能であることを特徴とする光走査装置。
　【請求項７】
　光源装置からのレーザー光束を結像素子により主走査対応方向に長い線像に結像させ、上記線像の近傍に偏向反射面を有する光偏向器により等角速度的に偏向させ、偏向光束を等速走査用の結像光学系により被走査面上に光スポットとして集光させて等速的な光走査を行う光走査装置において、偏向光束のビームウエスト位置を上記被走査面に対して調整する方法であって、
　
請求項１〜６の任意の１に記載
【発明の詳細な説明】
　【０００１】
　【産業上の利用分野】
　この発明は光走査装置に関する。
　【０００２】
　【従来の技術】
　光源装置からのレーザー光束を光偏向器により偏向させ、結像光学系により被走査面上に光スポットとして集光させて光走査を行う光走査装置は、光プリンターやデジタル複写機等に関連して広く知られている。
　【０００３】
　近来、このような光走査装置を用いる画像出力装置における画像の高品質化が強く要請され、光走査装置において被走査面を走査する光スポットのスポット径の安定性とともに、光スポットの小径化が意図されている。
　【０００４】
　光スポット径の小径化においては、光学系を構成する各光学素子の加工精度や組付け精度を如何にして設計値に近付けるかが問題と成る。
　【０００５】
　光スポットの小径化を達成するには、被走査面上に向かって集光するレーザー光束のビームウエスト位置を被走査面と合致させることが重要であるが、実際には光学素子の加工誤差や組付け誤差が複雑に影響して、ビームウエスト位置と被走査面とが「ずれる」のが普通であり、目的仕様の達成は容易でない。
　【０００６】
　【発明が解決しようとする課題】
　この発明は上述した事情に鑑みてなされたもので、偏向光束のビームウエスト位置と被走査面の合致が容易に実現可能である新規な光走査装置の提供を目的とする。
　【０００７】
　【課題を解決するための手段】
　この発明の光走査装置は「光源装置からのレーザー光束を結像素子により主走査対応方向に長い線像に結像させ、上記線像の近傍に偏向反射面を有する光偏向器により等角速度的に偏向させ、偏向光束を等速走査用の結像光学系により被走査面上に光スポットとして集光させて等速的な光走査を行う光走査装置」であって、以下の点を特徴とする。
　【０００８】
　即ち、偏向光束を被走査面上に集光させるための「等速走査用の結像光学系」がレンズ系と円筒面反射鏡と平面鏡とを有する。また、円筒面反射鏡調整手段を有する。
　【０００９】
　「レンズ系」は、主走査対応方向にｆθ機能を持ち、偏向光束を主走査対応方向において被走査面上に集光させるためのレンズ系である。
　【００１０】
　ここに「主走査対応方向」とは、光源装置から被走査面に到る光路を光軸に沿って画線的に展開した仮想的な光路上で主走査方向と平行的に対応する方向であり、上記仮想的な光路上で、副走査方向と平行的に対応する方向を「副走査対応方向」と呼ぶ。
　【００１１】
　「円筒面反射鏡」は、副走査対応方向にのみ正のパワーを持ち、上記レンズ系と共働して偏向光束を副走査対応方向において被走査面上に集光せしめるためのものである。
　【００１２】
　従って、偏向光束は、主走査対応方向に関してはレンズ系のみにより被走査面上に集光し、副走査対応方向に関してはレンズ系と円筒面反射鏡とにより被走査面上に集光する。
　【００１３】
　等速走査用の結像光学系は、上記のように、線像と被走査面とを副走査対応方向において共役な関係とするから、光偏向器の偏向反射面に対する所謂「面倒れ補正機能」を持ち、主走査対応方向に関してはレンズ系が「ｆθ機能」を持つから、光走査はレンズ系のｆθ特性に応じて等速的に行われる。
　【００１４】
　「平面鏡」は、レンズ系から被走査面に到る光路上に配備され、光路を副走査対応方向において屈曲させる。
　【００１５】
　「円筒面反射鏡調整手段」は、レンズ系から被走査面に到る光路長を微調整するため円筒面反射鏡を所定の方向に移動調整するための手段である。
　この円筒面反射鏡調整手段による上記光路長の微調整は「円筒反射鏡の移動に伴う偏向光束のビームウエストの変位により、ビームウエスト位置と被走査面との位置を調整する」ために行われる。
　【００１６】
　円筒面反射鏡は上記のように、「所定の方向」へ移動調整される。この所定の方向は、種々の方向が可能であり、例えば「反射面の光軸面方向」でもよく（請求項２）、「レンズ系の光軸を通り円筒面反射鏡に入射する光線の入射方向」でもよいし（請求項３）、「レンズ系の光軸を通り円筒面反射鏡に入射し反射される光線の反射方向」でも良い（請求項４）。
　【００１７】
　さらに、円筒面反射鏡調整手段による円筒面反射鏡の移動調整にも公知の種々の方法を利用できるけれども、「円筒面反射鏡に、移動調整のための移動方向に平行な面を形成し、この面を基準面に対して摺動させることにより移動させる」ように円筒面反射鏡調整手段を構成することができる（請求項５）。
　【００１８】
　
平面鏡の配設位置は「レンズ系と円筒面反射鏡との間」に設定される（請求項１）
　【００１９】
　さらに「平面鏡を、主走査対応方向に平行な軸の周りに揺動調整する平面鏡調整手段」を
有する（請求項１）。
請求項６
　上記平面鏡調整手段は、平面鏡を上記軸の回りに所望の方向へ微小角回転させて調整する。この調整は「微小角回転に伴う、偏向光束の偏向光束のビームウエスト位置の変位を、円筒面反射鏡の位置調整に伴うビームウエストの変位と組み合わせて、被走査面に対する偏向光束の主走査方向および副走査方向のビームウエスト位置を調整する」ために行われる
（請求項１）
　この発明のビームウエスト位置調整方法は、光源装置からのレザー光束を結像素子により主走査対応方向に長い線像に結像させ、上記線像の近傍に偏向反射面を有する光偏向器により等角速度的に偏向させ、偏向光束を等速走査用の結像光学系により被走査面上に光スポットとして集光させて等速的な光走査を行う光走査装置において、偏向光束のビームウエスト位置を上記被走査面に対して調整する方法であって、上記
請求項１〜６の任意の１に記載
請求項７
　【００２０】
　【作用】
　上記のように、この発明の光走査装置は、等速走査用の結像光学系が「円筒面反射鏡」を有し、この円筒面反射鏡を移動調整することにより、レンズ系から被走査面に到る光路長を微調整できるので、被走査面に対して偏向光束のビームウエスト位置を微調整できる。
　【００２１】
　【実施例】
　以下、具体的な実施例を説明する。
　【００２２】
　図１は、この発明の光走査装置の１実施例を要部のみ略示している。符号１で示す光源装置は、例えば、半導体レーザーと、半導体レーザーからの発散性の光束を平行光束化するカップリングレンズとにより構成され、平行レーザー光束を放射する。
　【００２３】
　光源装置１から放射された平行なレーザー光束は、「結像素子」であるシリンダレンズ２により副走査対応方向にのみ集光され、「光偏向器」である回転多面鏡３の偏向反射面４の近傍に、主走査対応方向に長い線像として結像する。
　【００２４】
　偏向反射面４による反射光束は回転多面鏡３の矢印方向への回転に伴い、等角速度的に偏向され、周期的な偏向光束となって等速走査用の結像光学系に入射する。
　【００２５】
　等速走査用の結像光学系は、レンズ５，６，７により構成される「レンズ系」と、平面鏡８と、円筒面反射鏡９とを有する。偏向光束は先ず「レンズ系」を透過し、平面鏡８により反射されて光路を副走査対応方向において屈曲されて円筒面反射鏡９に入射し、円筒面反射鏡９により反射されて被走査面１０上に光スポットとして集光し、被走査面１０を光走査する。
　【００２６】
　円筒面反射鏡９は副走査対応方向にのみ「正のパワー」を持ち、平面鏡８はパワーを持たないので、偏向光束は主走査対応方向に関しては、レンズ５，６，７による「レンズ系」のみにより被走査面１０上に集光する。「レンズ系」は主走査対応方向に「ｆθ機能」を持つので、光スポットの移動は等速的になる。
　【００２７】
　偏向光束は、副走査対応方向に関しては「レンズ系」と円筒面反射鏡９により被走査面１０上に集光する。
　【００２８】
　円筒面反射鏡９は、「円筒面反射鏡調整手段」である調整機構１１により「所定の方向」に移動調整できるようになっている。
　【００２９】
　一方、平面鏡８は、この実施例において「レンズ系と円筒面反射鏡９との間」の光路上に配備さ
れ、
請求項１
　【００３０】
　図２に、偏向反射面４から被走査面１０に到る光路を、主走査対応方向から見た状態を示す。
　【００３１】
　ここで、等速走査用の結像光学系の具体的な例を示す。偏向反射面側から数えて、第ｉ番目の面の曲率半径を、主走査対応方向に就き「ＲｉＳ」、副走査対応方向に就き「ＲｉＭ」、第ｉ番目と第ｉ＋１番目の面の光軸上の距離をＤｉ、偏向反射面側から数えて第ｊ番目のレンズの材質の屈折率をＮｊで表す。また、Ｄ０をもって、偏向反射面４からレンズ５の入射側面に到る光軸上距離とする。
　【００３２】
　なお、各数値は、全系焦点距離を１００に規格化したときの、焦点距離に相対的な値である。
　【００３３】
　【００３４】
　図２に示す、平面鏡８および円筒面反射鏡９への入射角：θ１，θ２の設計値は、それぞれ、θ１＝１７．２５度，θ２＝１３度である。
　【００３５】
　図２に戻ると、円筒面反射鏡９は、「反射面の光軸面方向」即ち、副走査対応方向（図２の面内）における設計上の入射光と反射光の中間方向へ移動調整が可能になっている。
　【００３６】
　上記の光学素子を上記数値に従って組付けても、現実には光学素子の加工誤差や組付け誤差が不可避的に発生するから、偏向光束の集光位置、即ちビームウエストの位置は一般には被走査面１０から微小距離ずれてしまう。
　【００３７】
　発明者が上記実施例に就き実験したところでは、円筒面反射鏡９を光軸面方向へ０．１ｍｍ移動させると、この移動に伴う光路長変化により、主走査対応方向のビームウエスト位置は全像高において０．１９６ｍｍ、副走査対応方向のビームウエスト位置は全像高において０．０９２ｍｍ、円筒面反射鏡９の移動の向き（被走査面に近づくか、遠ざかるか）と同じ向きに移動することが分かった。
　【００３８】
　即ち、円筒面反射鏡の移動が、ビームウエスト位置の変化にもたらす影響は、主走査対応方向と副走査対応方向とで異なり、円筒面反射鏡の移動に伴う主・副走査対応方向のビームウエスト位置の変位量の比は「略２：１」である。
　【００３９】
　従って、例えば、偏向光束のビームウエスト位置が、主・副走査対応方向とも０．１ｍｍずつ被走査面からずれている場合、円筒面反射鏡９の移動調整量：ｄを０．０７ｍｍにすれば、被走査面は、主走査対応方向のビームウエスト位置と副走査対応方向のビームウエスト位置のちょうど中間に位置するので、被走査面上における光スポット径は、設計通りのものにはならないが、移動調整量を上記ｄの近傍でさらに調整することにより、所望の形状の光スポットを、設計上の光スポット径に近い大きさで実現できる。即ち、円筒面反射鏡の移動調整のみでもビームウエスト位置の設計値からのずれを有効に軽減させることが
できる。
　【００４０】
　また、円筒面反射鏡９を変位させずに、平面鏡８を軸ｌの回りに微小角回転させると、副走査対応方向のビームウエスト位置のみが微小量変位することが見出された。
　【００４１】
　即ち、上記実施例の場合であると、平面鏡８を軸ｌの回りに０．１度回転させると、副走査対応方向のビームウエスト位置のみが、全像高において０．２６４ｍｍ変位した。これは、平面鏡８の回転に伴い、偏向光束の円筒面反射鏡９への入射角が副走査対応方向に於いて微小角大きく（小さく）なり、円筒面反射用９のパワーの作用が大きく（小さく）なるためと考えられる。
　【００４２】
　従って、前述の例のように、偏向光束のビームウエスト位置が、主・副走査対応方向とも０．１ｍｍずつ被走査面からずれている場合、円筒面反射鏡９を０．５１ｍｍ変位させ（これにより主・副走査対応方向のビームウエスト位置がそれぞれ、略０．１ｍｍ、略０．０４６ｍｍ変位する）、平面鏡８を０．０２度回転させる（これにより副走査対応方向のビームウエスト位置のみが、略０．０５２８ｍｍ変化する）ことにより、偏向光束のビームウエスト位置を、主・副走査対応方向とも、実質的に被走査面上に合致させることができる（
請求項１
　【００４３】
　なお、ビームウエスト位置の上記調整に伴い、主走査ライン（光スポットの走査により描かれる線）の位置が副走査方向へずれることになるが、このようなずれは、予め測定可能であるから、光走査による書き込み開始のタイミングをずらすことで補正可能である。
　【００４４】
　図３には、円筒面反射鏡９Ａ，９Ｂ，９Ｃにつき、移動調整の方向を３種示している。図３（ａ）における円筒面反射鏡９Ａは、図１，２に即して説明した実施例の場合と同様に、反射面の光軸面（円筒反射面の光軸を母線方向へ連ねて得られる面）方向に移動調整される（請求項２）。
　【００４５】
　図３（ｂ）における円筒面反射鏡９Ｂは、「レンズ系」の光軸を通り円筒面反射鏡に入射する光線の入射方向に移動調整される（請求項３）。また、（ｃ）における円筒面反射鏡９Ｃは、「レンズ系」の光軸を通り円筒面反射鏡に入射し反射される光線の反射方向に移動調整される（請求項４）。いずれの方向で移動調整しても大差はない。
　【００４６】
　また、図３に示す、円筒面反射鏡９Ａ，９Ｂ，９Ｃにおける反射面以外の側面部α，β，γを「移動調整のための移動方向に平行な面」とし、これらの面α，β，γを「基準面」に対して摺動させることにより移動させるように円筒面反射鏡調整手段を構成すると、調整が容易である。
　【００４７】
　図４は、図１に符号１１で示した調整機構（円筒面反射鏡調整手段）の１例を示している。円筒面反射鏡９Ａ（図３（ａ）参照）は、側面部αを支持部材１１０の表面である「基準面」に摺動させることにより、図の左右方向（反射面の光軸面方向）へ移動自在である。
　【００４８】
　支持部材１１０の表面には、抑え部材１１１が設けられている。抑え部材１１１の上部は板バネ１１Ａになっており、円筒面反射鏡９Ａの上部側面を押圧することにより、円筒面反射鏡９Ａを基準面に押しつけている。
　【００４９】
　抑え部材１１１の立上り部と円筒面反射鏡９の後面部との間には、圧縮性の板バネ１１２が介設され、円筒面反射鏡９Ａに、図面の左方向へ向かう弾性力を作用させる。
　【００５０】
　円筒面反射鏡９Ａの長手方向端部には当接片９Ａ１が凸設され、支持部材１１０の表面に植立された螺装部１１３に螺装された調整螺子１１４の先端部に当接する。
　【００５１】
　調整螺子１１４により円筒面反射鏡９Ａを図の左右方向へ移動させて、所望の位置において、板バネ１１２の弾性力と調整螺子１１４の当接力を釣り合わせることにより、円筒面反射鏡９Ａを移動調整することができる。
　【００５２】
　図４の状態は円筒面反射鏡９Ａの長手方向の端部の様子であり、長手方向の他端部にも、同様の調整機構が設けられており、円筒面反射鏡９Ａの移動調整を長手方向の両端部で、それぞれ独立して行うことができるようになっている（
請求項６
　【００５３】
　このようにすることにより、光スポットの像面の倒れが発生した場合にも、その補正を行うことが可能である。
　【００５４】
　図５は、図１において符号１２で示した調整機構（平面鏡調整手段）の１例を示している。
　【００５５】
　光走査装置の不動部材１３０は平面鏡８の設計上の配備態位に応じて支持面を形成され、この支持面に支持具１２２が固定されている。支持具１２２の一部は軸受１２３として形成され、軸１２４（図１の軸ｌ）を保持している。
　【００５６】
　平面鏡８は保持体１２１に固定的に保持され、保持体１２１の一部として形成された軸受部が軸１２４と嵌合している。従って、平面鏡８は、軸１２４の回りに揺動自在である。軸１２４の幾何学的な揺動軸は平面鏡８の鏡面と一致している。
　【００５７】
　保持体１２１と支持具１２２との間には圧縮性の板バネ１２５，１２６が介設され、支持具１２２の折り曲げ部に螺装された調整螺子１２７の先端は保持体１２２の一部に当接している。
　【００５８】
　調整螺子１２７を調整することにより、平面鏡８を主走査対応方向に平行な軸１２４の周りに「揺動調整」することができる。
　【００５９】
　【発明の効果】
　以上に説明したように、この発明によれば新規な光走査装置を提供できる。この発明の光走査装置は上述の如き構成となっているので、光学素子の加工誤差や組付け誤差に起因する、偏向光束のビームウエスト位置と被走査面とのずれを、有効に補正して、良好な光スポットを被走査面上に実現でき、良好な光走査を行うことができる。
【図面の簡単な説明】
　【図１】
　この発明の１実施例を説明するための図である。
　【図２】
　上記実施例における偏向反射面から被走査面に到る光路を主走査対応方向から見た図である。
　【図３】
　円筒面反射鏡を移動調整する方向を３種示す図である。
　【図４】
　円筒面反射鏡調整手段の１例を説明するための図である。
　【図５】
　平面鏡調整手段の１例を説明するための図である。
　【符号の説明】
　１　　　光源装置
　２　　　シリンダレンズ（結像素子）
　３　　　回転多面鏡（光偏向器）
　４　　　偏向反射面
　８　　　平面鏡
　９　　　円筒面反射鏡
　１０　　被走査面